(57)【特許請求の範囲】
【請求項１】
ＣＰＵ（Ｃｅｎｔｒａｌ  Ｐｒｏｃｃｅｓｓｉｎｇ  Ｕｎｉｔ）を備え、ゲートの通過を管理する通過管理装置において、
個人を特定する第１の個人特定情報と、前記ゲートの通過の許可を判定する際に用いる第１の通過判定情報とを受付ける第１の受付部と、
前記第１の受付部が受付けた前記第１の個人特定情報と、前記第１の通過判定情報とを対応させて記憶する記憶部と、
前記ゲートに設置され、前記ゲートの通過を希望するゲート通過希望者が前記ゲートを通過する際に、前記ゲート通過希望者を特定する第２の個人特定情報と、前記第１の通過判定情報との判定の対象となる第２の通過判定情報とを前記ゲート通過希望者から受付ける第２の受付部と、
前記第１の個人特定情報と前記第２の個人特定情報とが一致するか否かと、前記第１の個人特定情報に対応した第１の通過判定情報の範囲に第２の通過判定情報が含まれるか否かとを、ＣＰＵを用いて判定する判定部と、
前記判定部が前記第１の個人特定情報と前記第２の個人特定情報とが一致し、かつ、前記第１の個人特定情報に対応した第１の通過判定情報の範囲に第２の通過判定情報が含まれると判定した場合に、前記ゲート通過希望者の前記ゲート通過を許可する個人認証部と
を備え、
前記記憶部は、
前記第１の個人特定情報を記憶する個人認証テーブルを有し、
前記個人認証部は、
前記ゲート通過希望者の前記ゲート通過を許可した場合、前記判定部が前記第２の個人特定情報と一致すると判定した前記第１の個人特定情報を前記個人認証テーブルに記憶し、
前記通過管理装置は、更に、
前記判定部が前記第２の個人特定情報と一致すると判定した前記第１の個人特定情報が、前記個人認証テーブルに記憶されているか否かをＣＰＵを用いて判定する個人認証記憶判定部と、
前記個人認証記憶判定部が、前記判定部が前記第２の個人特定情報と一致すると判定した前記第１の個人特定情報が、前記個人認証テーブルに記憶されていると判定した場合、前記個人認証テーブルから前記第１の個人特定情報を削除する情報削除部と
を備えたことを特徴とする通過管理装置。
【請求項２】
前記個人認証記憶判定部は、
所定の時刻に、前記個人認証テーブルに前記第１の個人特定情報が記憶されているか否かをＣＰＵを用いて判定し、
前記情報削除部は、
前記個人認証記憶判定部が、前記所定の時刻に、前記個人認証テーブルに前記第１の個人特定情報が記憶されていると判定した場合、前記個人認証テーブルから前記第１の個人特定情報を削除することを特徴とする請求項１記載の通過管理装置。
【請求項３】
請求項１と請求項２との何れかに記載した通過管理装置と、
前記第２の個人特定情報を入力する入力装置を備えたゲートと
を備えたことを特徴とする受付管理システム。
【発明の詳細な説明】
【技術分野】
【０００１】
本発明は、例えば、ゲートにより個人の入退館を管理する通過管理装置に関する。
【背景技術】
【０００２】
従来では、ゲストの入退館を管理する場合、建物の入口に受付を設置し、受付にてゲストの身元と予約状況等をチェックすることにより建物内に不審な者が出入りしないようにしている。
【０００３】
特許文献１において開示されている来客受付システムは、可視情報を繰り返し書き込み及び消去可能な表示部を有するカード状記録媒体と、予約情報を格納するホストコンピュータと、入口に設置されカード状記録媒体に記録された情報を読み取みとり、この情報に基づいて入口の通過を許容または阻止する入場ゲートと、予約情報を入力し入力情報と予約情報とが一致している場合には、カード状記録媒体に入口の通過に必要な情報を記録するとともに表示部に識別情報、訪問先等を含む可視情報を書き込む受付用端末装置とを備えている。
【０００４】
また、特許文献２において開示されている集合住宅の出入管理システムでは、ゲストカード発行機を設け、撮像部と音声会話部とを設けたエントランス用インターホンを通じて居住者が来訪者を確認し、出入り用のゲストカードを発行することにより、不法侵入者を防いでいる。
【特許文献１】特開平１１−２５９７１２公報
【特許文献２】特開２００７−１９７９１１公報
【発明の開示】
【発明が解決しようとする課題】
【０００５】
従来の出入り管理システム等の通過管理装置では、一時利用者のためのゲストカードを発行（登録）するには、専用端末が必要であり、専用端末を用いてゲストカードを登録するという操作が必要であった。また、ゲストカードの登録には、人手を介したり、特別の登録操作が必要となることより、運用に費用が掛かったり、操作が煩雑になるという課題があった。
そこで、本発明に係る通過管理装置では、例えば、ゲスト等の一次利用のために、ゲストカードを発行する特別な専用端末を必要とせず、登録操作が簡便であり、管理が容易な通過管理装置を提供することを目的とする。
【課題を解決するための手段】
【０００６】
本発明に係る通過管理装置は、
ＣＰＵ（Ｃｅｎｔｒａｌ  Ｐｒｏｃｃｅｓｓｉｎｇ  Ｕｎｉｔ）を備え、ゲートの通過を管理する通過管理装置において、
個人を特定する第１の個人特定情報と、前記ゲートの通過の許可を判定する際に用いる第１の通過判定情報とを受付ける第１の受付部と、
前記第１の受付部が受付けた前記第１の個人特定情報と、前記第１の通過判定情報とを対応させて記憶する記憶部と、
前記ゲートに設置され、前記ゲートの通過を希望するゲート通過希望者が前記ゲートを通過する際に、前記ゲート通過希望者を特定する第２の個人特定情報と、前記第１の通過判定情報との判定の対象となる第２の通過判定情報とを前記ゲート通過希望者から受付ける第２の受付部と、
前記第１の個人特定情報と前記第２の個人特定情報とが一致するか否かと、前記第１の個人特定情報に対応した第１の通過判定情報の範囲に第２の通過判定情報が含まれるか否かとを、ＣＰＵを用いて判定する判定部と、
前記判定部が前記第１の個人特定情報と前記第２の個人特定情報とが一致し、かつ、前記第１の個人特定情報に対応した第１の通過判定情報の範囲に第２の通過判定情報が含まれると判定した場合に、前記ゲート通過希望者の前記ゲート通過を許可する個人認証部とを備えたことを特徴とする。
【発明の効果】
【０００７】
本発明の通過管理装置によれば、個人を特定する第１の個人特定情報と、ゲートの通過の許可を判定する際に用いる第１の通過判定情報とを予め記憶し、ゲート通過希望者がゲート通過時に入力する第２の個人特定情報と、第２の通過判定情報とを比較して、一致しているか否かを判定することにより通過の許可を行っていることから、個人特定情報を偽装することによる個人の成りすましをを防ぐことができる。さらに、特別な専用端末を必要とせず登録操作が容易であるため、簡便にゲートの通過を管理することが可能となる。
【発明を実施するための最良の形態】
【０００８】
実施の形態１．
本発明の実施の形態について、図１〜図６を用いて説明する。
【０００９】
図１は、実施の形態１に係る通過管理装置１００を用いた受付管理システム１０００の全体構成の一例を示す構成図である。図２は、実施の形態１に係る通過管理装置１００の機能構成の一例を示すブロック構成図である。図３は、実施の形態１に係る通過管理装置１００の記憶部に記憶される個人認証テーブル、ゲスト候補テーブル、ゲスト削除テーブルの一例を示す図である。図４は、実施の形態１に係る通過管理装置１００のハードウェア構成の一例を示す図である。図５は、通過管理装置１００が、ゲストの入館時に実行する処理の一例を示す図である。図６は、通過管理装置１００が、ゲストの退館時に実行する処理の一例を示す図である。
【００１０】
受付管理システム１０００は、建物の入口に設置された複数のゲートにより、個人が建物に入退出することを管理するシステムである。建物とは、例えば、図書館、事務所、集合住宅であり、通常の利用者（正規の利用者）は特定の鍵やキーを用いることによりゲートを通過することが可能である。本実施の形態では、建物を一時的に利用する一時利用者（以下ゲストと呼ぶ）が建物に入退出する場合について管理する受付管理システムおよび受付管理システム１０００で利用する通過管理装置１００について説明する。
【００１１】
図１を用いて、本実施の形態に係る通過管理装置１００を利用した受付管理システム１０００の全体構成について説明する。
【００１２】
受付管理システム１０００の通過管理装置１００がゲスト（個人）を特定し認証する方法として、非接触型のＩＤカード１８１を用いる場合について説明する。
受付管理システム１０００は、セキュリティエリア外（建物の外側、ゲートの外側）において、ゲストが利用するクライアントＰＣ１６２を備えている。クライアントＰＣ１６２は、例えば、ゲストの自席などにあるＰＣ（パーソナルコンピュータ）であり、インターネット１５２に接続している。ゲストは、例えば、クライアントＰＣ１６２から、ゲストが有するＩＤカード１８１のカード番号（第１の個人特定情報の一例）や入館予定の日時である入館日時等をインターネット１５２を経由して、後述するセキュリティエリア内に設置されている受付管理システムのサーバＰＣ１６１に登録する。クライアントＰＣ１６２は、ＩＤカード１８１のカード番号等を登録するのに、カード登録機１７１を用いても良い。カード番号等はクライアントＰＣ１６２が有する入力装置（キーボード）から直接番号を入力することにより登録しても構わない。ＩＤカード１８１が非接触型のＩＤカード、ＦｅｌｉＣａ（登録商標）である場合、カード登録機１７１は市販のパソリ（登録商標）などが使用できる。
【００１３】
セキュリティエリア内では、ゲストが建物に入館する際に通過する入館ゲート１０１、入館ゲート１０２が設置されている。また、退館する際に通過する退館ゲート１０３、退館ゲート１０４が設置されている。図１では、入館ゲートと退館ゲートが物理的には同一のゲートで構成されており、通行方向により入館と退館とに分かれている。各ゲートは、人々の通過を阻止するフラッパー１３１、１３２を備えているフラッパー方式のゲートである。入館は、セキュリティエリア外からセキュリティエリア内への通行で、退館はその逆となる。
【００１４】
各ゲートには、人々の通過・通行を感知し電気信号等を発する通過感知装置１４１、１４２が設置されている。また、各ゲートには、ゲートの通過を希望するもの（ゲスト）が所有するＩＤカード１８１のカード番号（第２の個人特定情報の一例）を入力するための個人情報入力装置が設置されている。ゲートの通過希望者は、入館する場合においては入館用の個人情報入力装置１１１，１１２を使用してカード番号を入力し、退館する場合は、退館用の個人情報入力装置１２１、１２２を使用してカード番号を入力する。
ゲート、フラッパー、個人情報入力装置、通過感知装置はそれらを制御する通過管理装置１００に接続されている。通過管理装置１００はゲート毎に設置されており、図１の入館ゲート１０１、入館用の個人情報入力装置１１１、退館ゲート１０３、退館用の個人情報入力装置１２１、入館ゲート１０１及び退館ゲート１０３のフラッパー１３１、通過感知装置１４１は、通過管理装置１００ａに接続されており、通過管理装置１００ａが制御・管理している。また、同様に入館ゲート１０２、個人情報入力装置１１２、退館ゲート１０４、個人情報入力装置１２２、入館ゲート１０２及び退館ゲート１０４のフラッパー１３２、通過感知装置１４２は、通過管理装置１００ｂに接続されており、通過管理装置１００ｂが制御・管理している。
【００１５】
建物内部の居住空間である居間Ａについて説明する。居間Ａは、入退出の際に通過する扉１３３で管理されており、居間Ａの入口には、カード番号等を入力する個人情報入力装置１１３、通過感知装置１４３が設置されている。ゲートと同様に個人情報入力装置１１３と通過感知装置１４３は通過管理装置１００ｃによって制御・管理されている。
【００１６】
受付管理システム１０００は、各ゲートや居間Ａに設置された通過管理装置１００を集中管理する受付管理サーバＰＣ１６１を備えている。通過管理装置１００と受付管理サーバＰＣ１６１はＬＡＮ１５１に接続している。受付管理システムのサーバＰＣ１６１は、ＬＡＮに接続した各通過管理装置１００ａと信号のやり取り（送受信）が可能となっている。また、受付管理システムのサーバＰＣ１６１は、セキュリティエリア外のクライアントＰＣ１６２とはインターネットで接続している。サーバＰＣ１６１とクライアントＰＣ１６２とは情報（信号）の送受信が可能である。サーバＰＣ１６１は、Ｗｅｂサーバ或いはメールサーバ機能を有していても構わない。受付管理システムのサーバＰＣ１６１は、クライアントＰＣ１６２が入力したカード番号等の第１の個人特定情報や、ゲート番号等を示す第１の通過判定情報を受付け、それらを通過管理装置１００に送信する。通過管理装置１００は、受付管理システムのサーバＰＣ１６１から受付けた第１の個人特定情報や第１の通過判定情報を記憶部に記憶する。第１の通過判定情報によりゲート番号が指定されている場合は、サーバＰＣ１６１は、ゲート番号で特定されるゲートを管理している通過管理装置１００に第１の個人特定情報を送信しても良い。例えば、ゲストが、クライアントＰＣ１６２からカード番号とゲート番号「１０１」を入力した場合、サーバＰＣ１６１は、ゲート１０１を制御する通過管理装置１００ａにカード番号を送信する。このとき、サーバＰＣ１６１は、受付けた時刻をカード番号と共に送信しても構わない。
【００１７】
次に、図２を用いて、本実施の形態に係る通過管理装置１００の機能構成について説明する。
通過管理装置１００は、第１の受付部２０１、第２の受付部２０２、記憶部２０３、判定部２０４、個人認証部２０５、個人認証記憶判定部２０６、情報削除部２０７、情報消去部２０８を備えている。
【００１８】
通過管理装置１００の第１の受付部２０１は、例えば、個人を特定する第１の個人特定情報３１１と、ゲートの通過の許可を判定する際に用いる第１の通過判定情報３１２とを受付ける。第１の個人特定情報と第１の通過判定情報３１２とは、図１で示したサーバＰＣ１６１から受付けても良い。また、通過管理装置１００にサーバ機能がある場合は、クライアントＰＣ１６２から直接受付けても構わない。入館ゲート１０１等のゲートに設置された入力装置から受付けても良い。
個人特定情報とは、例えば、ＩＤカードのカード番号である。個人特定情報は、個人を特定可能なものであれば、指紋などのバイオ情報を使ったものでも良い。本実施の形態では、個人特定情報である第１の個人特定情報３１１として、カード番号を図１で示すようにクライアントＰＣ１６２から、インターネット１５２を経由して受付ける。建物の管理者等が、サーバＰＣ１６１に接続されたキーボードやカード登録機１７１から直接登録しても構わない。バイオ情報を使った場合、カード番号の代わりにサーバＰＣ１６１に個人認証する指紋情報を通知するか、予め、サーバＰＣ１６１で個人番号と共に指紋情報を登録しておき、個人特定情報として指紋情報に対応した個人番号を通知することとなる。
第１の通過判定情報３１２とは、個人がゲートを通過する際に、通過管理装置１００が通過の許可を判定するときに用いる情報であり、本実施の形態では複数のゲートのうち、通過するゲートを特定するゲート番号（例えば、「１０１」又は「１０２」）である。ゲートを特定するための名称（例えば「１０１  左側  入館ゲート」）であっても良い。また、ゲストが入館する予定の期間であっても良い。例えば、第１の通過判定情報３１２は「２００７年９月２６日９：５５〜１０：０５」といった日時によって登録される。日時による期間とするのは、特定の時刻であった場合、都合によりゲストが建物への到着が遅れる若しくは早まる可能性があり、必ずしも特定の時刻に入館できるとは限らないため、ある程度の幅を持たせているからである。通過管理装置１００が入館予定の期間を登録する方法として、ゲストは、入館予定の時刻を入力し、その前後５分間を第１の通過判定情報３１２として登録する方法がある。また、第１の通過判定情報３１２はゲート番号と、予定の期間とからなる情報であっても良い。
サーバＰＣ１６１は、例えば、第１の通過判定情報３１２であるゲート番号をクライアントＰＣ１６２から受付ける。サーバＰＣ１６１は、例えば、ゲート番号により特定したゲートを管理する通過管理装置１００にカード番号（第１の個人特定情報３１１）を出力する。また、クライアントＰＣ１６２からゲート番号を受付けるのではなく、サーバＰＣ１６１が、ゲート番号をランダムに設定し、クライアントＰＣ１６２に設定したゲート番号を告げると同時に、カード番号（第１の個人特定情報３１１）をクライアントＰＣに告げたゲートを管理する通過管理装置１００に出力しても構わない。サーバＰＣ１６１により予め、ゲストが通過するゲートの振り分けが行われていれば、特定のゲートを管理する通過管理装置１００は、ゲストのカード番号のみを記憶しておくことにより、自己が管理するゲートの番号を通過するゲストのみの通過について管理することが可能となる。
サーバＰＣ１６１は、第１の通過判定情報３１２として、ゲート番号と入館予定時刻とを、ゲートを管理する複数の通過管理装置１００に出力しても良い。この場合、それぞれの通過管理装置１００は、ゲート番号と入館予定時刻とを第１の通過判定情報として利用することができる。
【００１９】
通過管理装置１００の記憶部２０３は、第１の受付部２０１が受付けた、第１の個人特定情報３１１と第１の通過判定情報３１２とを対応させて記憶する。即ち、第１の個人特定情報３１１と第１の通過判定情報３１２とを合わせて、第１の通過許可情報３１０として記憶する。本実施の形態において、記憶部２０３は、第１の個人特定情報３１１と第１の通過判定情報３１２とを記憶するため、所定のテーブルを用意しデータベースとして記憶しておくものとする。所定のテーブル（ゲスト候補テーブル）の例を図３（ｂ）、図３（ｃ）に示す。図３（ｂ）はゲストが入館時に使用するゲスト候補テーブル２１１ａであり、サーバＰＣ１６１が、ゲストがカード番号を登録する際に入力したゲート番号によりゲストが通過を希望するゲートを振り分けており、ゲストが通過するゲートを管理する通過管理装置１００にカード番号と入館予定時刻とを出力した場合である。例えば、ゲストが入館ゲート１０１に２００７年９月２６日１０時に通過するとした場合、入館ゲート１０１を制御・管理する通過管理装置１００ａが記憶するゲスト管理テーブルである。図３（ｃ）のゲスト候補テーブル２１１ｂのように、カード番号を第１の個人特定情報３１１として、また、入館ゲート番号と入館予定時刻とを第１の通過判定情報３１２として、テーブル形式で記憶しても良い。図３（ｄ）と図３（ｅ）のテーブルはゲストが退館時に所定のゲートを通過するときに使用するゲスト削除テーブルである。図３（ｄ）は、図３（ｂ）で示すゲスト候補テーブル２１１ａと同様、特定の通過管理装置１００に記憶されたゲスト削除テーブル２１２ａである。そのため、カード番号とそれに対応した退館時刻を記憶している。退館時刻は、ゲストが退館する期限を示すものであるので、時刻であっても構わない。また、退館する期間を日時で示しても良い。図３（ｅ）に示すように、ゲスト削除テーブル２１２ｂとして、カード番号、退館ゲート番号、退館時刻を記憶しておいても良い。ゲスト候補テーブル２１１、ゲスト削除テーブル２１２は、予めサーバＰＣ１６１により特定のゲートを管理する通過管理装置１００にゲストのカード番号が振り分けられている場合で、時刻や日時によりゲストの通過を管理しない場合は、カード番号のみからなるテーブルであっても構わない。
【００２０】
通過管理装置１００の第２の受付部２０２は、ゲートに設置されたカード番号等を入力する個人情報入力装置（入力装置）から、個人（ゲートの通過を希望するゲート通過希望者）がゲートを通過する際に入力する、個人を特定する第２の個人特定情報３２１と、第１の通過判定情報との判定対象となる第２の通過判定情報３２２とを受付ける。本実施の形態では、第２の個人特定情報とは、ゲート通過希望者が所有（持参、所持）するカードから、個人情報入力装置が読み取ったカード番号である。また、第２の通過判定情報３２２とは、ゲート通過希望者がカード番号を入力した個人情報入力装置が設置されているゲートの番号を示すゲート番号である。
【００２１】
通過管理装置１００の判定部２０４は、第２の受付部が第２の個人特定情報３２１と第２の通過判定情報３２２とを受付けた場合（第２の通過許可情報３２０を受付けた場合）に、第１の個人特定情報３１１と第２の個人特定情報３２１とが一致するか否かを判定する。また、一致した場合、第１の個人特定情報３１１に対応した第１の通過判定情報３１２と、第２の通過判定情報３２２とが一致するか、または、第１の通過判定情報３１２が示す範囲に第２の通過判定情報３２２が含まれているか否かを判定する。本実施の形態では、ゲートに設置された個人情報入力装置が読み取ったカード番号（第２の個人特定情報３２１）が、記憶部２０３が記憶するカード番号（第１の個人特定情報３１１）と一致するか否かを判定する。また、カード番号が一致した場合、第２の個人特定情報３２１が入力された時刻（第２の通過判定情報３２２）と、予定した入館予定時刻（期間）とを比較する。入力された時刻が入館予定時刻（期間）内であれば、判定部２０４は一致していると判定する。判定部２０４は、カード番号を読み取った個人情報入力装置が設置されたゲート番号と、記憶部２０３に記憶されたゲート番号とが一致するか否かを判定しても良い。記憶部２０３に記憶されたゲート番号が複数ある場合、第２の受付部が受付けたゲート番号が、記憶部２０３が記憶する複数のゲート番号のうち何れかのゲート番号であることを（含まれているか否か）を判定する。
【００２２】
また、判定部２０４は、サーバＰＣ１６１が予め、特定のゲートを管理する通過管理装置１００にカード番号のみを送信しており、記憶部２０３がカード番号のみを第１の通過許可情報３１０として記憶していた場合、第２の通過判定情報３２２（ゲート番号）が一致しているか否かの判定は省略し、カード番号のみを比較しても良い。
【００２３】
通過管理装置１００の個人認証部２０５は、判定部２０４が判定した結果（判定結果３３０）に基づき、ゲート通過希望者のゲート通過を許可する信号３３１を出力する。すなわち、個人認証部２０５は、前記判定部が前記第１の個人特定情報と前記第２の個人特定情報とが一致し、かつ、前記第１の個人特定情報に対応した第１の通過判定情報の範囲に第２の通過判定情報が含まれると判定した場合に、前記ゲート通過希望者の前記ゲート通過を許可する。本実施の形態では、記憶部２０３が記憶するカード番号と、第２の受付部２０２が受付けたカード番号と一致し、更に、記憶部２０３が記憶するカード番号に対応したゲート番号と、第２の受付部２０２が受付けたカード番号とも一致したと判定部２０４が判定した場合、個人認証部２０５はゲート通過を許可する信号３３１を出力する。具体的にはゲートのフラッパー１３１を開ける動作を行う。
【００２４】
通過管理装置１００の個人認証部２０５は、ゲート通過希望者のゲート通過を許可した場合、判定部２０４が第２の個人特定情報と一致すると判定した第１の個人特定情報を、記憶部２０３に記憶しても良い。個人認証テーブルとは、例えば、図３（ａ）に示すカード番号の一覧である。例えば、記憶部２０３は第１の個人特定情報を記憶するテーブルとして個人認証テーブル２１０を用意しておき、ゲートを通過したゲストのカード番号を個人認証テーブル２１０に記憶する。個人認証テーブル２１０は、館内のＬＡＮに接続した他の通過管理装置１００と共有しても良い。個人認証テーブル２１０に変更があった場合に、他の通過管理装置１００が有する個人認証テーブルも同じ変更を行う。例えば、ゲートを通過した者の個人特定情報を共有することにより、建物内に設置された居間Ａの入退出を管理することが可能となる。居間Ａに設置された通過管理装置１００ｃは、個人情報入力装置１１３によりゲストのカード番号が入力された場合、共有する個人認証テーブル２１０を参照することにより扉１３３を開閉するか否かを判定することが可能となる。
【００２５】
通過管理装置１００の情報削除部２０７は、個人認証部２０５が、ゲート通過希望者のゲート通過を許可した場合、記憶部２０３から、判定部２０４が第２の個人特定情報３２１と一致すると判定した第１の個人特定情報３１１と、第１の個人特定情報３１１に対応した第１の通過判定情報３１２とを削除する。具体的には、記憶部２０３に記憶されたゲスト候補テーブルからカード番号とそれに対応したゲート番号とを削除する。削除することにより、同じカード番号をもつゲストは入館することができなくなり、カード番号の偽造による成りすましを防ぎ、不正侵入者を防ぐことが可能となる。
【００２６】
通過管理装置１００の情報消去部２０８は、第１の個人特定情報３１１と第１の通過判定情報３１２とを、例えば、サーバＰＣ１６１が登録した翌日に記憶部２０３から消去する。
この場合、記憶部２０３は、第１の受付部２０１が第１の個人特定情報３１１と第１の通過判定情報３１２とを受付けた日時を記憶しており、第１の受付部２０１が第１の個人特定情報３１１と第１の通過判定情報３１２とを受付けた日時から所定の日時が経過した後、情報消去部は、記憶部に第１の個人特定情報と第１の通過判定情報が記憶されている場合に、記憶部から第１の個人特定情報と第１の通過判定情報とを消去する。
これは、クライアントＰＣ１６２からゲストとして登録していたが、何らかの都合によりゲートを通過しなかった場合、記憶部２０３に記憶されている情報は不要であるために消去するためだけではなく、記憶部のカード番号等が不正侵入に用いられないようにするためである。
本実施の形態では、例えば、カード番号がクライアントＰＣより入力された日時を記憶しておき、入館予定日となっても入館されず、記憶部にカード番号が残っていた場合、入館予定日の翌日にカード番号とゲート番号とを消去することができる。
【００２７】
通過管理装置１００の個人認証記憶判定部２０６は、記憶部２０３の個人認証テーブル２１０に第１の個人特定情報３１１が記憶済みであるか否かを判定する。これは、入館したゲストが退館したか否かを管理することを目的としている。ゲート通過希望者は、入館時の第１の個人特定情報３１１と第１の通過判定情報３１２をクライアントＰＣ１６２から入力するとき、退館時に利用する第１の個人特定情報３１１と第１の通過判定情報３１２とをクライアントＰＣを通じて受付け、記憶部２０３に記憶しているものとする。退館時に利用する第１の個人特定情報３１１は、サーバＰＣ１６１が入館時に利用する第１の個人特定情報３１１が入力されたときに、自動的に所定の規則に従ってクライアントＰＣ１６２に返信するようにしても構わない。例えば、サーバＰＣ１６１は、第１の通過判定情報３１２として、入館予定時刻（期間）が入力されたとき、所定の時間経過後に退館時に利用する退館時刻を第１の通過判定情報３１２をクライアントＰＣ１６２に返信し、通過管理装置１００は、退館時刻をゲスト番号と共に受付けても良い。
個人認証記憶判定部２０６は、判定部２０４が第２の個人特定情報と第１の個人特定情報とが一致すると判定したとき、判定部２０４が第２の個人特定情報と一致すると判定した前記第１の個人特定情報が、個人認証テーブル２１０に記憶されているか否かをＣＰＵを用いて判定し、情報削除部２０７は、個人認証記憶判定部２０６が、判定部２０４が第２の個人特定情報と一致すると判定した第１の個人特定情報が、個人認証テーブル２１０に記憶されていると判定した場合、記憶部２０３の個人認証テーブル２１０から第１の個人特定情報３１１を削除する。例として、ゲストが退館する場合を説明する。ゲストは、入館時にゲートの通過が許可され、個人認証テーブル２１０にカード番号（第１の個人特定情報）が登録されているものとする。個人認証記憶判定部２０６は、ゲストが退館ゲートを通過したときに、個人認証テーブル２１０にゲストのカード番号が登録されているか否かを判定する。情報削除部２０７は、個人認証記憶判定部２０６が、カード番号が登録されていると判定した場合は、個人認証テーブル２１０からゲストのカード番号を削除する。個人認証テーブル２１０にゲストのカード番号が無い場合は、ゲストが退館したことを示すこととなる。すなわち、建物の閉館時においても、カード番号が個人認証テーブル２１０に残っている場合（記録されている場合）は、ゲストが退館していないことを示すこととなる。
個人認証記憶判定部２０６により、一旦ゲートを通過しているか否かを判定することが可能となるため、通過管理装置１００は、ゲストとして入館した者が退館したか否かを判定することが可能となる。
【００２８】
また、個人認証記憶判定部２０６は、所定の時刻に、個人認証テーブル２１０に第１の個人特定情報が記憶されているか否かをＣＰＵを用いて判定する。情報削除部２０７は、個人認証記憶判定部２０６が、所定の時刻に個人認証テーブル２１０に第１の個人特定情報が記憶されていると判定した場合、個人認証テーブル２１０から第１の個人特定情報を削除する。
具体的には、建物の閉館時に、個人認証テーブル２１０として残っているカード番号等の記録を一斉に削除するものである。削除することにより閉館後に居間Ａに不正に侵入することを防ぐことが可能となる。また、何らかの理由により退館の記録が残されていない場合があるので、不要な情報を削除するためでもある。
【００２９】
本実施の形態において、図１及び図２を用いて説明した、「〜部」は、すべてマイクロコンピューター内のソフトウェアによって構成されているが、ハードウェアによって構成されていても構わない。
【００３０】
次に、図４を用いて、通過管理装置１００のハードウェア資源の一例について説明する。
図４において、通過管理装置１００は、プログラムを実行するＣＰＵ９１１（Ｃｅｎｔｒａｌ  Ｐｒｏｃｅｓｓｉｎｇ  Ｕｎｉｔ、中央処理装置、処理装置、演算装置ともいう）を備えている。ＣＰＵ９１１は、バス９１２を介してＲＯＭ９１３、ＲＡＭ９１４、通信装置９１５、表示装置９１６、入力機器９０２、記憶装置９２０と接続され、これらのハードウェアデバイスを制御する。記憶装置９２０は、例えば、磁気ディスク装置、光ディスク装置、メモリカード読み書き装置などである。
ＲＡＭ９１４は、揮発性メモリの一例である。ＲＯＭ９１３、記憶装置９２０の記憶媒体は、不揮発性メモリの一例である。これらは、記憶部の一例である。
通信装置９１５、入力機器９０２などは、入力部、入力装置の一例である。本実施の形態でゲートに設置された個人情報入力装置は入力機器９０２であり、入力部、入力装置である。クライアントＰＣも入力部の一例である。
また、通信装置９１５、表示装置９１６などは、出力部、出力装置の一例である。
【００３１】
通信装置９１５は、例えば、ファクシミリ機、電話器、ＬＡＮ等に接続されている。通信装置９１５は、ＬＡＮに限らず、インターネット網、ＩＳＤＮ等のＷＡＮ（ワイドエリアネットワーク）などに接続されていても構わない。
記憶装置９２０には、オペレーティングシステム９２１（ＯＳ）、プログラム群９２２、ファイル群９２３が記憶されている。プログラム群９２２のプログラムは、ＣＰＵ９１１、オペレーティングシステム９２１により実行される。
【００３２】
上記プログラム群９２２には、実施の形態の説明において「〜部」として説明する機能を実行するプログラムが記憶されている。プログラムは、ＣＰＵ９１１により読み出され実行される。
ファイル群９２３には、実施の形態の説明において、「〜の判定結果」、「〜の計算結果」、「〜の処理結果」として説明するデータや信号値や変数値やパラメータが、「〜ファイル」や「〜データベース」の各項目として記憶されている。
また、各実施の形態の説明において説明するフローチャートの矢印の部分は主としてデータや信号の入出力を示し、データや信号値は、ＲＡＭ９１４のメモリ、記憶装置９２０の磁気ディスク、その他光ディスク、ミニディスク、ＤＶＤ（Ｄｉｇｉｔａｌ  Ｖｅｒｓａｔｉｌｅ  Ｄｉｓｋ）等の記録媒体に記録される。また、データや信号は、バス９１２や信号線やケーブルその他の伝送媒体によりオンライン伝送される。
【００３３】
また、以下に述べる実施の形態の説明において「〜部」として説明するものは、ＲＯＭ９１３に記憶されたファームウェアで実現されていても構わない。或いは、ソフトウェアのみ、或いは、ハードウェアのみ、或いは、ソフトウェアとハードウェアとの組み合わせ、さらには、ファームウェアとの組み合わせで実施されても構わない。ファームウェアとソフトウェアは、プログラムとして、磁気ディスク、フレキシブルディスク、光ディスク、コンパクトディスク、ミニディスク、ＤＶＤ等の記録媒体に記憶される。プログラムはＣＰＵ９１１により読み出され、ＣＰＵ９１１により実行される。すなわち、プログラムは、以下に述べる「〜部」としてコンピュータを機能させるものである。あるいは、以下に述べる「〜部」の手順をコンピュータに実行させるものである。
【００３４】
以下に、本実施の形態における通過管理装置１００が、ゲストが入館する際に実行する動作の一例について図１と図５を用いて説明する。
【００３５】
まず、ゲストとして入館する前（少なくとも１日前が望ましい）に、ゲストが所持する非接触ＩＤカード１８１の、例えば、カード番号と入館日時を受付管理システム１０００に登録する。
【００３６】
自席などにあるクライアントＰＣ１６２より、カード番号と入館日時（例えば、２００７年９月２６日の１０：００）を指定し、受付管理システムのサーバＰＣ１６１に対して登録要求を行う。この場合インターネット１５２などを通じて、遠隔より行うこともある。受付管理システムのサーバＰＣ１６１は、Ｗｅｂサーバ或いはメールサーバ機能を有するものとする。
【００３７】
カード番号は、クライアントＰＣ１６２に接続されるカード登録機１７１と読み取りソフトなどにより読み取ることが可能である。カードがＦｅｌｉＣａ（登録商標）の場合、カード登録機は市販のパソリ（登録商標）などが使用できる。
【００３８】
クライアントＰＣ１６２からの登録要求に対して、サーバＰＣ１６１にてゲストとして入館を許可できると判断する場合、登録要求の応答として、受付管理システムが管理している入館ゲート番号（「１０１」）又は、ゲート名称（例えば、「１０１  左側  入館ゲート」）をクライアントＰＣ１６２に返信する。
以下、例えば、左側の入館ゲート（１０１）での操作により、ゲストを登録する前提で説明する。
【００３９】
ここで、ゲストとして入館を許可すると判断するには例えば、ゲストカード（通過が許可されたゲストのカード番号が記録されたＩＤカード）の候補を示すゲストカード候補として、カード番号を予め受付管理システムのサーバ内に記憶しておいても良い。但しこの候補として記憶するだけでは、個人情報入力装置で照合しても照合ＮＧとなるだけであり、セキュリテイ性は保たれている。
或いは、クライアントＰＣ１６２とサーバＰＣ１６１との間での、ホスト名などによる認証や、職制を通じたワークフローなどを用いても良い。
【００４０】
また登録要求の応答として、入館予定時刻（期限付き；例えば、２００７年９月２６日の９：５５〜１０：０５など）を返信しても良い。応答する入館予定時刻は、登録要求にある入館日時を含めた前後数分などとしても良いし、入館日時以前の時刻（例えば、２００７年９月２６日の９：３０〜９：３５）をサーバＰＣ１６１側で適当に決めても良い。
【００４１】
さらに登録要求の応答として、上記の入館ゲート番号と入館操作時刻とをペアで返信しても良い。
【００４２】
また登録要求の応答に、退館ゲート番号（例えば、左側の退館ゲート（１０１）のゲート番号）を併せてクライアントＰＣ１６２に返信しても良い。
【００４３】
サーバＰＣ１６１に登録要求されたゲストのカード番号などは、ゲストカードを登録する際に入館操作する個人情報入力装置１１１に接続された左側ゲート１０１のフラッパー１３１の開閉制御などを行う通過管理装置１００ａへ送信される。
【００４４】
右側のゲート１０２を制御する通過管理装置１００ｂや、ゲストカードとして登録後に通行可能（個人認証テーブル２１０にカード番号を登録後に通行可能）となる居室Ａなど扉１３３の開閉などを制御する通過管理装置１００ｃには、この時点ではゲストとしてのカード番号などは送信しない。
【００４５】
ゲストカードのカード番号などを受信した通過管理装置１００ａでは、入館可能なカード番号を記憶する個人認証テーブル２１０とは別に、ゲスト候補テーブル２１１ａに、ゲストで入館するカード番号などを記憶する。
【００４６】
ここで入館予定時刻も合わせてゲスト候補テーブル２１１ａに記憶する場合、サーバＰＣ１６１からは入館可能時刻の数分前にゲストのカード番号を通過管理装置１００ａに通知する様にしても良い。また通過管理装置１００ａでは、入館予定時刻が過ぎた時点で、ゲスト候補テーブル２１１に記憶したカード番号を削除処理することにしても良い。この様にすれば、ゲストカード候補テーブル２１１には入館予定時刻（範囲）にだけ、入館操作可能なゲストのカード番号が記憶され、後述のチェック処理が少なくて済む。
【００４７】
次にゲストが入館操作する場合について図５を用いて説明する。ゲストは、ゲストカード（ＩＤカード１８１）を所持し入館ゲート１０１に設置の個人情報入力装置１１１にゲストカードをかざす。個人情報入力装置１１１が読み取ったカード番号は、通過管理装置１００ａへ送られ（ステップＳ１０１）、個人認証処理（ステップＳ１０２）される。ここで個人情報入力装置１１１は、非接触のＩＣカード読み取り機（非接触ＣＲ）などである。
【００４８】
通過管理装置１００ａでは先ず、個人認証テーブル内において、判定部２０４が個人情報入力装置で読み取ったカード番号の有無をチェックする（ステップＳ１０２）。ゲストカードで未だ登録されていない場合（Ｎｏの場合）、結果は当然ＮＧである。判定部２０４が個人情報入力装置１１１により入力されたカード番号が、記憶部２０３の個人認証テーブル２１０に登録されていると判断した場合は、ゲートを一時的にオープン（ステップＳ１０３）する。これは、個人認証テーブル２１０に登録されているカード番号は、正規の利用者であるか、ゲストが一旦ゲストとしてゲートを通過しており、一時退出している場合である。通過管理装置１００ａは、ゲストが通行したことをサーバＰＣ１６１や他の通過管理装置１００に通知する（ステップＳ１０４）。
【００４９】
ステップ１０２でＮｏと判定された場合、通過管理装置１００ａの判定部２０４は同様にゲスト候補テーブル２１１内において、カード番号の有無をチェックする（ステップＳ１０５）。ゲスト候補テーブル２１１に当該カード番号があれば、又はさらに操作した現在時刻がテーブル内に記憶の当該ゲストカードの入館予定時刻範囲内にあれば（ステップＳ１０５においてＹｅｓの場合）、ゲストカードの登録処理（カード番号を個人認証テーブルに登録する処理）を行った後（ステップＳ１０６）、ゲートのフラッパー１３１をオープン（ステップＳ１０７）し、通過管理装置１００ａはゲストの入館を許可する。このとき、ゲストがゲート１０１を通行したことを、ゲストカードとして登録したことと共に他の通過管理装置１００に通知しても良い（ステップＳ１０８）。
【００５０】
ステップＳ１０５において、判定部２０４が、カード番号はゲスト候補テーブル２１１に登録済みでないと判定した場合は、個人認証部２０５は、ゲート１０１のフラッパー１３１は閉じたままとし、ゲストの通過を阻止する（ステップＳ１０９）。通過管理装置１００ａの個人認証部２０５が、判定部２０４の判定結果に基づき、ゲートそばに設置された警告ブザーを鳴動させても良い。
【００５１】
情報削除部２０７は、個人認証テーブル２１０にカード番号が登録された後、当該カード番号をゲスト候補テーブルより削除する。さらに、例えばゲストカードとして入室可能な居室Ａの扉の開閉などを制御する通過管理装置１００ｃへも登録処理し、当該通過管理装置１００ａの同様の個人認証テーブル内に当該カード番号を登録すれば、ゲストは居室Ａへの入室も可能となる。
【００５２】
ゲストが入室可能な部屋の設定は、ゲストという属性で一意に決めても良いし、事前にゲストカードとして、受付管理システム１０００でそのカード番号と入室可能な部屋番号とを関連付けて記憶しておいても良い。
【００５３】
また、ゲスト侯補テーブル２１１にゲストのカード番号を登録がされていない通過管理装置１００ｂに接続されている右側の個人情報入力装置１１２でカード操作した場合、ゲストとしての登録処理ができないことは当然である。
また左側の個人情報入力装置１１１での操作時刻が、当該カード番号と共に記憶している入館予定時刻範囲外であっても、ゲストとして登録処理できないことも当然である。
【００５４】
次に、本実施の形態における通過管理装置１００が、ゲストが退館する際に実行する動作について図６を用いて説明する。
【００５５】
退館操作する個人情報入力装置（例えば、退館時では向かって右側の個人情報入力装置１２１）が接続される通過管理装置１００ａのゲスト削除テーブル２１２ａにゲストカードのカード番号が記録されるのは、ゲスト候補テーブル２１１ａに記録するのと同様で、サーバＰＣ１６１への登録要求の応答として、退館ゲート番号（１０３番号）を返信した際に記憶する。
【００５６】
退館時の操作も入館時の操作と同様、個人情報入力装置１２１にカードをかざし退館操作する（ステップＳ２０１）。この場合入館時の処理と異なるのは、図６に示すフローの通り、個人認証テーブル２１０でカード番号が登録済みか否かを確認する処理（ステップＳ２０２）を行った後、ゲート１０３のフラッパー１３１を開け、通過できるようにし（ステップＳ２０３）、ゲストが通過したことを他の通過管理装置１００や、サーバＰＣ１６１に通知することである。個人認証テーブル２１０にカード番号が無い場合は、ゲートのフラッパー１３１を閉じたまま警告ブザー等を鳴動し、ゲストに警告する（ステップＳ２０８）。同時に、記録部に通過履歴を記録しても構わない（ステップＳ２０４）。次に、ゲスト削除テーブルでカード番号の有無をチェック処理する（ステップＳ２０５）こととなる。ゲスト削除テーブルにカード番号が有り、退館時を経過している場合（ステップＳ２０５のＹｅｓの場合）は、カード番号を削除する処理（ステップＳ２０６）を行う。
【００５７】
削除処理では、ゲスト削除テーブル２１２ａでの当該カード番号の削除とともに、個人認証テーブル２１０での当該カード番号の削除も行う（ステップＳ２０６）。登録時の処理と同様、個人認証テーブル２１０に登録した居室Ａの通過管理装置１００ｃにおいても個人認証テーブル２１０より当該ゲストカード番号の削除を実行する。
【００５８】
ここで、ゲスト削除テーブル２１２ａにカード番号の記録がない通過管理装置１００ｂが制御する個人情報入力装置１２２で退館操作した場合はゲストカードの削除処理は行われない（ステップＳ２０５のＮｏの場合）ことは当然である。例えば、昼食などで一時的に退館し再度入館する場合などはこちらでの操作となる。
【００５９】
また退館操作時刻が、ゲスト削除テーブル２１２ａに記録された退館時刻以前の操作であれば、ゲストカードの削除を行わない様にしても良い。この場合、一時的な退館はどちらのゲートで行っても良いことになる。
【００６０】
また受付管理システム内で取り決めた時刻（翌日の０１：２３など）に一斉に、ゲストカード（個人認証テーブルに記録されたカード番号）を全て削除処理する様にしても良い。この場合、ゲスト削除テーブル２１２にカード番号の記録がない通過管理装置１００に接続する個人情報入力装置１２２で退館操作して帰宅してしまうなど正規でない退館操作による削除処理忘れを防することができる。
【００６１】
本実施の形態で説明した通過管理装置１００の特徴について、別の表現で以下に説明する。
【００６２】
本実施の形態に係る通過管理装置１００は、複数ある入館ゲートのうち、特定の入館ゲートを事前通知し、当該入館ゲートに設置した個人情報入力装置での入館操作により、当該個人をゲストとして登録することを特徴とする。
【００６３】
また、本実施の形態に係る通過管理装置１００は、入館操作可能時刻（期間）を事前通知し、ゲートに設置の個人情報入力装置で、当該時刻範囲内での入館操作により、当該個人をゲストとして登録することを特徴とする。
【００６４】
通過管理装置１００にゲストとして登録するための、上記２つの操作（入館ゲートを指定する操作及び入館する時刻を登録する操作）は、ＯＲ条件でもＡＮＤ条件でもどちらで行っても良い。すなわち、入館ゲートの指定と入館操作可能時刻の両方を事前通知し、個人（ゲスト）が入館する時に入館ゲートと入館予定時刻との両方の情報を入力し、両方の条件が一致した（若しくは含まれている）場合にゲートを通過する個人をゲストとして登録しても良い。もしくは、入館ゲートか入館予定時刻の何れか一方が一致していれば、ゲストとして登録するようにしても良い。
【００６５】
本実施の形態で示した通過管理装置１００は、複数ある退館ゲートのうち、特定の退館ゲートを事前通知し、当該ゲートに設置した個人情報入力装置での退館操作により、当該個人のカード番号をゲストカード（個人認証テーブル２１０）から削除することを特徴とする。
【００６６】
また、退館操作可能時刻（又は退館操作可能期間）を事前通知し、ゲートに設置の個人情報入力装置で、当該時刻範囲内での退館操作により、当該個人のカード番号をゲストカード（個人認証テーブル２１０）から削除することを特徴とする。
上記２つの操作は、ＯＲ条件でもＡＮＤ条件でもどちらで行っても良い。また、入館操作だけで運用する場合と、入館操作と退館操作とを組み合わせて行う様にしても良い。入館操作だけで運用する場合は、ゲストの削除は、例えば入館操作した翌日に自動で実施する。
通過管理装置１００が上記のような処理を行うことにより、セキュリテイ性を保ちながら、操作性が向上することが可能となる。
【００６７】
本実施の形態で説明した通過管理装置１００の特徴について、また別の表現で以下に説明する。
【００６８】
本実施の形態に係る通過管理装置１００は、
複数ある入退館ゲートに設置される個人情報入力装置で認証、使用可能なゲストカードの発行管理をおこなう受付管理システム１０００で使用する通過管理装置１００であって、
通過管理装置１００は、ゲストカードの発行管理を受付管理システム１０００の入退館ゲートに設置されたいずれかの個人情報入力装置によりおこない、
通過管理装置１００の記憶部は、個人のＩＤカードをゲストカードとして発行し、ゲストカードとして使用した後、ゲストカードから抹消する運用を許可する個人のＩＤカード番号をゲストカード候補としてゲスト候補テーブル２１１に記憶し、
通過管理装置１００は、ゲストカード候補として記憶された個人のＩＤカードをゲストカードとして発行をおこなう日時及び発行をおこなう個人認証端末が設置された入館ゲート番号を事前に遠隔操作により登録したものを受付け、
通過管理装置１００は、さらに、ゲストカードとして発行され、使用が終了した個人のＩＤカードをゲストカードから抹消をおこなう日時及び抹消をおこなう個人情報入力装置が設置された退館ゲート番号を事前に遠隔操作により登録する
ことを特徴とする。
【００６９】
本実施の形態に係る通過管理装置１００は、
受付管理システムにおいて、入館するために認証がおこなわれたＩＤカード番号、日時、入館ゲート番号と、ゲストカード候補として記憶された個人のＩＤカード番号及びこのＩＤカード番号に登録されたゲストカードとして発行される日時、発行される入館ゲート番号とが合致したとき、この認証がおこなわれた個人のＩＤカードをゲストカードとして発行（又は個人認証テーブルに登録）することを特徴とする。
【００７０】
本実施の形態に係る通過管理装置１００は、
受付管理システムにおいて、退館するために認証がおこなわれたＩＤカード番号、日時、退館ゲート番号と、ゲストカード候補として記憶された個人のＩＤカード番号及びこのＩＤカード番号に登録されたゲストカードから抹消される日時、抹消される退館ゲート番号とが合致したとき、認証がおこなわれた個人のＩＤカードをゲストカードから抹消（又は個人認証テーブルから削除する）することを特徴とする。
【００７１】
前記ゲストカードとして発行され、使用が終了した個人のＩＤカードをゲストカードから抹消をおこなう日時及び抹消をおこなう退館ゲートにおいて、退館するための認証がおこなわれないとき、ゲストカードとして発行された個人のＩＤカードをゲストカードから強制的に抹消する（又は個人認証テーブルから削除する）ことを特徴とする。
【００７２】
本実施の形態に係る通過管理装置１００は、個人を特定するカード番号等の個人特定情報とともに別の情報を予め登録しておき、個人がゲートを通過するときに個人特定情報と予め登録しておいた別の情報を入力することにより、個人を特定し通過を許可することを特徴とする。さらに、個人の通過を許可した場合には、予め個人が登録しておいた別の情報を削除することにより、個人特定情報を偽装した不正侵入者を妨げることができる。また、本実施の形態の通過管理装置１００は、一度通過を許可した個人特定情報を、個人が退館するか若しくは一定期間経過するまで保持している。そのため、館内の他の通過管理装置とネットワークによって接続されていれば、他の通過管理装置と個人特定情報を共有することができる。即ち個人認証テーブルを共有することが可能である。個人認証テーブルを共有することにより、建物内における別のゲートの通過を許可する場合や、一時的に退館する場合であってもその個人特定情報（カード番号等）を利用することができ、個人の入退出管理が容易となる。
【００７３】
本実施の形態で説明した通過管理装置１００は、上記の特徴を有するため、ゲストカードを発行する特別な専用端末を必要とせず、ゲストの入退館の管理やゲストの登録操作が簡便となるという効果を奏する。
【００７４】
実施の形態２．
本実施の形態について、図１、図３、図５を用いて以下に説明する。実施の形態１で説明した受付管理システム１０００は複数のゲートを備えており、予め、クライアントＰＣ１６２から利用する入館ゲート若しくは退館ゲートを指定して登録処理を行っていた。本実施の形態では、利用する入館ゲートの指定をせず、入館予定時刻だけを登録した場合の実施の形態について説明する。
【００７５】
受付管理システム１０００の全体構成及び通過管理装置１００の機能構成は図１、図２と同様であるため説明は省略する。実施の形態１との異なる点は、クライアントＰＣ１６２からサーバＰＣ１６１に、ゲストカードとして利用するカードのカード番号を入力する際、入館ゲートを指定せず、サーバＰＣ１６１は入館予定時刻だけをゲストに応答通知する。ゲストが直接入館予定時刻をカード番号と共に入力しても良い。入館予定時刻は時刻のみであっても構わないが、ある程度幅のある期間であるほうが望ましい。例えば、「１：００〜１：１０」といった情報を入力する。ゲストが時刻を入力した場合、サーバＰＣ１６１がその時刻の前後１０分間を期間として登録しても構わない。この場合、サーバＰＣ１６１は、ゲートを制御する全ての通過管理装置１００にゲストカードとして利用するカード番号と入館予定時刻とを送信する。
【００７６】
この場合、ゲストは、指定した入館予定時刻が示す期間内であれば、図１で示す左側の入館ゲート１０１だけでなく右側の入館ゲートからもゲストとしての登録操作が可能となる。入館時のゲストカード登録処理は、図５で示す入館時の処理と同様である。
【００７７】
ゲスト候補テーブルの削除処理については、ゲストが操作した個人情報入力装置を有する通過管理装置１００が自身の記憶部に記憶したゲスト候補テーブルからゲストのカード番号を削除するだけでなく、他の通過管理装置１００にもゲストの当該カード番号と共に削除要求を通知し、通知された通過管理装置１００がゲスト候補テーブルより、当該カード番号を削除する処理を追加しても良い。
例えば、ゲート１０１を管理する通過管理装置１００ａとゲート１０２を管理する通過管理装置１００ｂの両方の記憶部に記憶されているゲスト候補テーブルは、図３（ｃ）のゲスト候補テーブル２１１ｂに示すように、共にゲストカード番号と入館予定時刻が記録されているものとする。ゲストが入館予定時刻に入館ゲート１０１の個人情報入力装置１１１を操作しカード番号を入力した場合、通過管理装置１００ａは、自身の記憶部に記憶されているゲスト候補テーブル２１１ｂに登録されているカード番号を削除すると共に、通過管理装置１００ｂにも削除要求を通知し、通過管理装置１００ｂが記憶するゲスト候補テーブル２１１ｂから通過したゲストのカード番号を削除する。
【００７８】
また、本実施の形態の通過管理装置１００は、ゲートを区別せず入館予定時刻のみを第１の通過判定情報とし、第２の通過判定情報をゲストがゲート通過した（第２の個人特定情報を個人情報入力装置により入力した）時刻としている。すなわち、ゲートは必ずしも複数ある必要は無く、ゲートが１つだけの場合でも利用することが可能である。１つのゲートでゲストを管理するため、ゲートを増設するためのコストを削減することができる。
【００７９】
本実施の形態では、入館予定時刻を第１の通過判定情報としたが、第１の通過判定情報は、サーバＰＣ１６１が、クライアントＰＣ１６２からゲストより登録要求があったときにランダムに発生させた暗証番号であっても良い。この場合、各ゲートには、カードの番号を読み取る個人情報入力装置以外に、番号を入力可能なテンキーを備えているものとする。ゲストは、ゲート通過時に、カード番号等の第２の個人特定情報を入力すると共に、テンキーを用いて第２の通過判定情報となる暗証番号を入力することにより、通過管理装置１００は、個人を特定し、ゲート通過を許可することが可能となる。
【００８０】
本実施の形態で示す通過管理装置１００が上記で説明した処理を行うことにより、一旦、ゲストがゲートを通過して入館した場合は、再度登録しない限りゲスト候補テーブルには登録されないため、入館することができなくなる。そのため、カード番号を偽造による不法侵入者を防ぐことが可能となる。また、ゲストとして登録する場合、カード番号と時刻のみを入力することから、登録の手間を少なくするとともに、特別な装置を減らし、コスト削減することができる。
【図面の簡単な説明】
【００８１】
【図１】実施の形態１における受付管理システムの全体構成を示す構成図。
【図２】実施の形態１に係る通過管理装置の機能構成の一例を示すブロック構成図。
【図３】実施の形態１に係る通過管理装置の記憶部に記憶される個人認証テーブル、ゲスト候補テーブル、ゲスト削除テーブルの一例を示す図。
【図４】実施の形態１に係る通過管理装置のハードウェア構成の一例を示す図。
【図５】実施の形態１に係る通過管理装置が入館時に実行する処理の一例を示すフローチャート。
【図６】実施の形態１に係る通過管理装置が退館時に実行する処理の一例を示すフローチャート。
【符号の説明】
【００８２】
１００  通過管理装置、１０１，１０２  ゲート、１１１，１１２，１１３，１１４  個人情報入力装置、１３１，１３２  フラッパー、１３３  扉、１４１，１４２，１４３  通過感知装置、１５１  ＬＡＮ、１５２  インターネット、１６１  サーバＰＣ、１６２  クライアントＰＣ、１７１  カード登録機、１８１  カード、２０１  第１の受付部、２０２  第２の受付部、２０３  記憶部、２０４  判定部、２０５  個人認証部、２０６  個人認証記憶判定部、２０７  情報削除部、２０８  情報消去部、３１０  第１の通過許可情報、３１１  第１の個人特定情報、３１２  第１の通過判定情報、３２０  第２の通過許可情報、３２１  第２の個人特定情報、３２２  第２の通過判定情報、９１１  ＣＰＵ、９１２  バス、９１６  表示装置、９０２  入力機器、９１３  ＲＯＭ、９１４  ＲＡＭ、９１５  通信装置、９２０  記憶装置、９２１  オペレーティングシステム、９２２  プログラム群、９２３  ファイル群、１０００  受付管理システム。
【図１】
0005230191.tif 000002
【図２】
0005230191.tif 000003
【図３】
0005230191.tif 000004
【図４】
0005230191.tif 000005
【図５】
0005230191.tif 000006
【図６】
0005230191.tif 000007